(57)【要約】【課題】  仕切り壁を設けた部材を操作することによって、ケース本体内の錠剤を収納した区画を減少させ、錠剤同士を接触するように詰め込み、持ち運び可能とした錠剤ケースを提供すること。【解決手段】  複数の錠剤を収納するケース本体と、ケース本体内に廻動可能に装着される可動仕切り部材と、ケース本体の上部に装着される蓋体とからなる錠剤ケースであって、ケース本体は、側周壁と底壁とを具え、底壁の上面に、側周壁の内周の所定の個所から中央部まで延びる固定仕切り壁が立設されており、可動仕切り部材は、ケース本体の側周壁の上端面に係合するリング状の上壁と、ケース本体の側周壁の外周上部に係合する外周壁とを具え、上壁の内縁の所定の個所に、可動仕切り部材を設け、可動仕切り部材を廻動させることによって、ケース内の錠剤を収納した区画の大きさを変えることを特徴とする。【選択図】  図１
2008013178.tif 000002
【特許請求の範囲】
【請求項１】
複数の錠剤を収納するケース本体と、ケース本体内に廻動可能に装着される可動仕切り部材と、ケース本体の上部に装着される蓋体とからなる錠剤ケースであって、
ケース本体は、側周壁と底壁とを具え、
底壁の上面に、側周壁の内周の所定の個所から中央部まで延びる固定仕切り壁が立設されており、
可動仕切り部材は、ケース本体の側周壁の上端面に係合するリング状の上壁と、ケース本体の側周壁の外周上部に係合する外周壁とを具え、
上壁の内縁の所定の個所に、可動仕切り部材を設け、
可動仕切り部材を廻動させることによって、ケース内の錠剤を収納した区画の大きさを変えることを特徴とする錠剤ケース。
【請求項２】
可動仕切り部材が、ケース本体の開口を覆う上壁と、ケース本体の側周壁の外周上部に係合する外周壁とを具えた可動中蓋であり、
上壁の所定の位置に、ケース本体の固定仕切り壁と平行に中央部付近まで延びる仕切り壁が垂設され、仕切り壁の付近から穿設された開口が設けられていること特徴とする請求項１記載の錠剤ケース。
【請求項３】
複数の錠剤を収納するケース本体と、ケース本体の上部に廻動可能に装着される可動蓋体とからなる錠剤ケースであって、
ケース本体は、側周壁と底壁とを具え、
底壁の上面に、側周壁の内周の所定の個所から中央部まで延びる固定仕切り壁が立設されており、
可動蓋体は、蓋体本体と蓋部材とからなり、
蓋体本体は、頂壁と、頂壁の下面に配設され、外周がケース本体の側周壁内周に係合する内筒壁と、頂壁の外縁から垂設される側周壁とを具え、
頂壁には、所定の位置に、ケース本体の固定仕切り壁と平行に中央部付近まで延びる仕切り壁が垂設され、仕切り壁の付近に破壊口が穿設され、
蓋部材は、柔軟性のある材質のもので形成され、蓋体本体の頂壁の開口を開閉する上板と、側周壁外周に接着される側板とを具え、
可動蓋体を廻動させることによって、ケース内の錠剤を収納した区画の大きさを変えることを特徴とする錠剤ケース。
【請求項４】
仕切り壁の下端部に、廻動方向に反り、ケース本体の底壁上面に係合するすくい上げ部が形成されていることを特徴とする請求項１〜３記載の錠剤ケース。
【発明の詳細な説明】
【技術分野】
【０００１】
本発明は、カプセルや錠剤などの薬品や、菓子類を収納する円筒形の蓋付き錠剤ケース、特に、ケース内に装着した仕切り壁を移動させて、錠剤を収納した区画の大きさを変更可能とした錠剤ケースに関するものである。
【背景技術】
【０００２】
カプセルや錠剤などの薬品、或いは粒状のガム、キャンディなどの菓子類の複数の錠剤を収納した錠剤ケースにおいて、ケース内に設けた仕切り壁を移動させることにより、ケース内の錠剤を収納した区画の大きさを減少させ、錠剤同士を接触するように詰め込むようにし、ケースを持ち運ぶ際、振動のために錠剤同士がぶつかり合うことと発生する衝突音を防ぐようにした錠剤ケースは、従来より知られている（例えば、特許文献１参照）。
【特許文献１】特開２０００−１６８８５８号
【発明の開示】
【発明が解決しようとする課題】
【０００３】
しかしながら、上記特許文献１記載の錠剤ケースは、錠剤の取出口を開口する際、蓋に設けられた振り出し口と、ケース本体に設けられた振り出し口とを合わせるために、蓋を廻動しなくてはならず、そのため、ケース内の錠剤を収納した区画の大きさがその都度変えられていた。
錠剤の量によっては、錠剤を使用後、区画を減少させるために蓋を１８０°以上廻動させなくてはならず、使用者にとっては、閉蓋がきわめて面倒であるという問題があった。
使用者によっては、錠剤を取りだした後、取出口を閉口するだけの不充分な廻動で終わり、結局、ケース内の区画が大きいため、錠剤同士が振動のためにぶつかり合い、錠剤の一部が破損して粉々になったり、衝突音が発生するという問題が生じることもあった。
【０００４】
また、蓋を廻動させて、取出口の開口と、ケース内の錠剤を収納した区画の減少を繰り返しているうちに、錠剤がその都度、接触したり離れたりするためにぶつかり合い、一部が破損して粉々になってしまうという問題もあった。
さらに、仕切り壁を移動する際に、錠剤の形状によっては、蓋の可動する仕切り壁とケースの底壁上面との間に錠剤が嵌り込んで、蓋の廻動を阻止してしまうということもあった。
【０００５】
本発明は、上記の問題点を解決することを課題として、仕切り壁を設けた部材を操作することによって、ケース本体内の錠剤を収納した区画を減少させ、錠剤同士を接触するように詰め込み、持ち運び可能とした錠剤ケースを提供することを目的とする。
【課題を解決するための手段】
【０００６】
本発明は、上記の課題を解決するため、錠剤ケースとして、複数の錠剤を収納するケース本体と、ケース本体内に廻動可能に装着される可動仕切り部材と、ケース本体の上部に装着される蓋体とからなる錠剤ケースであって、ケース本体は、側周壁と底壁とを具え、底壁の上面に、側周壁の内周の所定の個所から中央部まで延びる固定仕切り壁が立設されており、可動仕切り部材は、ケース本体の側周壁の上端面に係合するリング状の上壁と、ケース本体の側周壁の外周上部に係合する外周壁とを具え、上壁の内縁の所定の個所に、可動仕切り部材を設け、可動仕切り部材を廻動させることによって、ケース内の錠剤を収納した区画の大きさを変えることを特徴とする構成を採用する。
【０００７】
可動仕切り部材の実施例として、可動仕切り部材が、ケース本体の開口を覆う上壁と、ケース本体の側周壁の外周上部に係合する外周壁とを具えた可動中蓋であり、上壁の所定の位置に、ケース本体の固定仕切り壁と平行に中央部付近まで延びる仕切り壁が垂設され、仕切り壁の付近から穿設された開口が設けられていること特徴とする構成を採用する。
【０００８】
錠剤ケースの別実施例として、複数の錠剤を収納するケース本体と、ケース本体の上部に廻動可能に装着される可動蓋体とからなる錠剤ケースであって、ケース本体は、側周壁と底壁とを具え、底壁の上面に、側周壁の内周の所定の個所から中央部まで延びる固定仕切り壁が立設されており、可動蓋体は、蓋体本体と蓋部材とからなり、蓋体本体は、頂壁と、頂壁の下面に配設され、外周がケース本体の側周壁内周に係合する内筒壁と、頂壁の外縁から垂設される側周壁とを具え、頂壁には、所定の位置に、ケース本体の固定仕切り壁と平行に中央部付近まで延びる仕切り壁が垂設され、仕切り壁の付近に破壊口が穿設され、蓋部材は、柔軟性のある材質のもので形成され、蓋体本体の頂壁の開口を開閉する上板と、側周壁外周に接着される側板とを具え、可動蓋体を廻動させることによって、ケース内の錠剤を収納した区画の大きさを変えることを特徴とする構成を採用する。
【０００９】
仕切部剤の実施例として、仕切り壁の下端部に、廻動方向に反り、ケース本体の底壁上面に係合するすくい上げ部が形成されていることを特徴とする構成を採用する。
【発明の効果】
【００１０】
本発明の錠剤ケースは、ケース本体の内方に立設された固定仕切り壁と、ケース本体に廻動可能に装着された可動仕切り部材、または、蓋体に設けた仕切り壁により、可動仕切り部材、または、蓋体を廻動させることによって、ケース本体内の錠剤を収納した区画の大きさを変更するとともに、次の廻動操作までその状態を維持することができるようになった。
ケース本体内の錠剤を収納した区画の大きさを減少させて維持できることによって、ケース内で錠剤同士が接触するように詰め込み、錠剤が移動してぶつかり合って破損することや、衝突音の発生を防止することができるようになった。
【発明を実施するための最良の形態】
【００１１】
次に、本発明の錠剤ケースについて、実施例をあげ、図面を参照して説明する。
【実施例１】
【００１２】
図１において、Ａは円筒形のケース本体、Ｂはケ−ス本体Ａ内方に回転自在に装着される可動仕切り部材、Ｃは蓋体である。
【００１３】
ケース本体Ａは、図１、２に示すように、側周壁１と底壁２とを具え、底壁２の上面には側周壁１の内周の所定の個所から中央部まで延びる固定仕切り壁３が立設されている。
【００１４】
側周壁１の外周上部には、可動仕切り部材Ｂと係合する縮径された上部係合部４と、蓋体Ｃと係合する下部係合部５とが設けられ、上部係合部４の外周には、係合突条６が周設され、下部係合部５の外周には、ねじ７が設けられている。
【００１５】
可動仕切り部材Ｂは、リング状の上壁１０と外周壁１１とを具え、上壁１０の内縁の所定の個所には、仕切り壁１２が連設されている。
仕切り壁１２は、ケース本体Ａの固定仕切り壁３と平行に中央部付近まで延び、外縁端は、ケース本体Ａの側周壁１内周面に係合するように形成され、下端部には、図２（ｂ）に示すように、固定仕切り壁３側の反対側に反りながら、ケース本体Ａの底壁２上面に係合するすくい上げ部１３が形成されている。
【００１６】
外周壁１１は、内周がケース本体Ａの側周壁１の上部係合部４に回転自在に係合し、内周下端には、上部係合部４の係合突条６に係合して、可動仕切り部材Ｂが、ケース本体Ａから抜け落ちることを防止する係合突条１４が設けられている。
【００１７】
蓋体Ｃは、頂壁１５と側周壁１６とからなり、側周壁１６の内周下部には、ケース本体Ａの下部係合部５のねじ７に螺合しケース本体Ａを閉蓋するねじ１７が設けられている。
【００１８】
次に、本実施例の錠剤ケースの使用態様と作用効果について説明する。
ケース本体Ａ内に可動仕切り部材Ｂを装着させ、内方に錠剤Ｐを収納した後に、蓋体Ｃをケース本体Ａに装着して、錠剤Ｐを収納した錠剤ケースを得ることができる。
錠剤の使用にあたっては、蓋体Ｃを開蓋して、ケース本体Ａ内の錠剤Ｐを取り出すことができる。
【００１９】
錠剤Ｐが少なくなった時には、図３に示すように、可動仕切り部材Ｂの外周壁１１を把持し、可動仕切り部材Ｂを、ケース本体Ａに対して仕切り壁１２のすくい上げ部１３の先端方向に廻動させることによって、ケース本体Ａ内の錠剤Ｐが収納されている区画を減少させることができる。
また、可動仕切り部材Ｂを廻動する際に、仕切り壁１２の下端部のすくい上げ部１３が錠剤Ｐをすくい上げるため、仕切り壁１２とケース本体Ａの底壁２上面との間に、錠剤Ｐが嵌り込んで廻動を阻止することを防止している。
【００２０】
ケース本体Ａ内の錠剤Ｐが収納されている区画を減少することによって、錠剤は隙間なく詰め込まれる。
錠剤が詰め込まれると、錠剤ケースは、輸送する際の振動等により、錠剤が移動してぶつかり合って破損することや、衝突音の発生を防止することができる。
【００２１】
錠剤を取り出すときには、可動仕切り部材Ｂの外周壁１１を把持し、可動仕切り部材Ｂを、ケース本体Ａに対して仕切り壁１２のすくい上げ部１３の先端を反対方向に僅かに廻動させることによって、ケース本体Ａ内の錠剤Ｐが収納されている区画を拡大して、錠剤の詰め込み状態をなくし、錠剤を取りやすくすることができる。
【実施例２】
【００２２】
次に、第１実施例の可動仕切り部材の構成を変えた第２実施例について説明する。
本実施例の第１実施例と同一の構成部分には、同一の符号を付して図示して詳しい説明を省略し、相違点を中心に説明する。  
【００２３】
図４、５において、Ａは円筒形のケース本体、Ｄはケ−ス本体Ａに回転自在に装着される可動中蓋、Ｃは蓋体である。
【００２４】
可動中蓋Ｄは、上壁２０と外周壁２１とを具えている。
上壁２０には、所定の位置に垂設された仕切り壁２２と、仕切り壁２２の付近から扇形に穿設された開口２３が設けられている。
仕切り壁２２は、ケース本体Ａの固定仕切り壁３と平行に中央部付近まで延び、外縁端は、ケース本体Ａの側周壁１内周面に係合するように形成され、下端部には、固定仕切り壁３側の反対側に反りながら、ケース本体Ａの底壁２上面に係合するすくい上げ部２４が形成されている。
【００２５】
外周壁２１は、内周がケース本体Ａの側周壁１の上部係合部４に回転自在に係合し、内周下端には、上部係合部４の係合突条６に係合して、可動中蓋Ｄがケース本体Ａから抜け落ちることを防止する係合突条２５が設けられている。
【００２６】
次に、本実施例の錠剤ケースの作用効果について説明する。
錠剤Ｐを使用するときには、蓋体Ｃを開蓋し、可動中蓋Ｄの開口２３より錠剤Ｐを取り出す。
錠剤Ｐが少なくなった時には、図５に示すように、可動中蓋Ｄの外周壁２１を把持し、可動中蓋Ｄをケース本体Ａに対して、仕切り壁２２のすくい上げ部２４の先端方向に廻動させると、ケース本体Ａ内の錠剤Ｐが収納されている区画を減少させることができる。
【００２７】
また、可動中蓋Ｄの上壁２０の壁部がケース本体Ａ内を覆っているので、ケース本体Ａ内の区画を減少させる際に、錠剤Ｐが外に飛び出すことを防止することができる。
その他の構成は、第１実施例と同一であり、同一の作用効果を得ることができる。
【００２８】
可動中蓋Ｄは、透明または半透明の材質のもので形成し、上壁２０からケース本体Ａ内の錠剤Ｐの状態を外から視認することができるようにしてもよい。
【実施例３】
【００２９】
次に、第１実施例の蓋体の構成を変えた第３実施例について説明する。
本実施例の第１実施例と同一の構成部分には、同一の符号を付して図示して詳しい説明を省略し、相違点を中心に説明する。  
【００３０】
図６、７において、Ａａは円筒形のケース本体、Ｅはケ−ス本体Ａに回転自在に装着される可動蓋体である。
【００３１】
ケース本体Ａａは、側周壁１と底壁２とを具え、底壁２の上面には、側周壁１の内周の所定の個所から中央部まで延びる固定仕切り壁３が立設されている。
側周壁１の外周上部には、可動蓋体Ｅと係合する係合突条３０と、一部が切欠部３１により切欠かれたフランジ３２が突設されている。
側周壁１の内周上部には、拡径された拡径部３３が設けられている。
【００３２】
可動蓋体Ｅは、蓋体本体Ｅ１と、蓋体本体Ｅ１の外周面に装着され、蓋体本体Ｅ１を開閉する蓋部材Ｅ２とからなっている。
蓋体本体Ｅ１は、頂壁３５と、頂壁３５の下面に配設され、外周がケース本体Ａａの側周壁１の拡径部３３に係合する内筒壁３６と、頂壁３５の外縁から垂設される側周壁３７とを具えている。
【００３３】
頂壁３５には、所定の位置に垂設された仕切り壁３８と、仕切り壁３８の付近に穿設された開口３９が設けられている。
仕切り壁３８は、ケース本体Ａａの固定仕切り壁３と平行に中央部付近まで延び、外縁端はケース本体Ａの側周壁１内周下部に係合するように形成され、下端部には、固定仕切り壁３側の反対側に反りながらケース本体Ａの底壁２上面に係合するすくい上げ部４０が形成されている。
【００３４】
側周壁３７の下端は、ケース本体Ａａのフランジ３２上面に係合するように形成され、側周壁３７の内周下部には、ケース本体Ａａの係合突条３０に係合して、可動蓋体Ｅがケース本体Ａａから抜け落ちることを防止する係合突条４１が設けられている。
【００３５】
蓋部材Ｅ２は、柔軟性のある材質のもので形成され、蓋体本体Ｅ１の頂壁３５の開口３９を開閉する上板４２と、側周壁３７外周に接着される側板４３とからなっている。
上板４２は、先端をつまみ部４２ａとし、所定の個所には、蓋体本体Ｅ１の開口３９の内周に挿入される蓋筒４４とを具えている。
【００３６】
次に、本実施例の錠剤ケースの作用効果について説明する。
錠剤Ｐを使用するときには、可動蓋体Ｅの蓋部材Ｅ２の上板４２のつまみ部４２ａを持ち上げることによって蓋部材Ｅ２を変形させ、蓋体本体Ｅ１の頂壁３５の開口３９から蓋部材Ｅ２の蓋筒４４を外し、開蓋する。
次いで、蓋体本体Ｅ１の開口３９より錠剤Ｐを取り出すことができる。
また、蓋部材Ｅ２を元に戻し、蓋部材Ｅ２の蓋筒４４を蓋体本体Ｅ１の開口３９に挿入することによって閉蓋することができる。
【００３７】
錠剤Ｐが少なくなった時には、図８に示すように、可動蓋体Ｅの側周壁３７を把持し、可動蓋体Ｅをケース本体Ａａに対して仕切り壁３８のすくい上げ部４０の先端方向に廻動させると、ケース本体Ａａ内の錠剤Ｐが収納されている区画を減少させることができる。
また、可動蓋体Ｅ自体がケース本体Ａａ内を覆っているので、ケース本体Ａａ内の区画を減少させる際に、錠剤Ｐが外に飛び出すことを防止することができる。
【００３８】
錠剤Ｐがなくなり、可動蓋体Ｅを開蓋したいときには、ケース本体Ａａのフランジ３２の切欠部３１から蓋体本体Ｅ１の側周壁３７の下端を持ち上げると、ケース本体Ａａの側周壁１の係合突条３０と、蓋体本体Ｅの側周壁３７の係合突条４１との係合を簡単に外すことができる。
【００３９】
本実施例は、開口３９より錠剤Ｐを取り出すようにしているので、錠剤Ｐの大きさに応じて開口３９の径を設定することができ、錠剤を１個ずつ取り出す場合には、とくに効果的である。
その他の構成は、第１実施例と同一であり、同一の作用効果を得ることができる。
【００４０】
上記各実施例の錠剤ケースの蓋体を、透明または半透明の材質のもので形成すると、ケース内の錠剤Ｐの状態を外から視認することができる。
また、錠剤ケースの全体を透明または半透明の材質のもので形成して、外からケース内を視認できるようにしてもよい。
【００４１】
上記各実施例では、可動する仕切り壁の下部にすくい上げ部を設けたが、例えば、錠剤の形状が球形に近いものであれば、仕切り壁を廻動する際に、仕切り壁とケース本体の上面との間に、錠剤が嵌り込んで廻動を阻止することがないので、錠剤の形状により、可動する仕切り壁の下部にすくい上げ部を設けなくてもよい。
【産業上の利用可能性】
【００４２】
ケース本体に装着する可動部材、または蓋体の側周を把持し、ケース本体に対して廻動して、ケース本体内の複数の錠剤が収納されている区画を減少させ、ケース内で錠剤同士が接触するように詰め込むことによって、錠剤が移動してぶつかり合って破損してしまうことや、衝突音の発生を防止することができる錠剤ケースとして、医薬品、サプリメント、タブレット状の菓子類などのケースとして、幅広く利用することができる。
【図面の簡単な説明】
【００４３】
【図１】本発明第１実施例の錠剤ケースの縦断立面図である。
【図２】錠剤ケースの蓋体開蓋時の説明図で、（ａ）は上面図、（ｂ）は断面立面図である。
【図３】錠剤ケースの使用時の説明図で、（ａ）は可動仕切り部材の可動前、（ｂ）は可動仕切り部材の可動後の斜視図である。
【図４】第２実施例の錠剤ケースの縦断立面図である。
【図５】錠剤ケースの使用時の説明図で、（ａ）は可動中蓋の可動前、（ｂ）は可動中蓋の可動後の斜視図である。
【図６】第３実施例の錠剤ケースの縦断立面図である。
【図７】錠剤ケースの斜視図である。
【図８】錠剤ケースの使用時の説明図で、（ａ）は可動蓋体の可動前、（ｂ）は可動蓋体の可動後の斜視図である。
【符号の説明】
【００４４】
Ａ、Ａａ      ケース本体
Ｂ            可動仕切り部材
Ｃ            蓋体
Ｄ            可動中蓋
Ｅ            可動蓋体
Ｅ１          蓋体本体
Ｅ２          蓋部材
Ｐ            錠剤
１            側周壁
２            底壁
３            固定仕切り壁
４            上部係合部
５            下部係合部
６、３０      係合突条
７、１７      ねじ
１０、２０    上壁
１１、２１    外周壁
１２、２２、３８  仕切り壁
１３、２４、４０  すくい上げ部
１４、２５、４１  係合突条
１５、３５    頂壁
１６、３７    側周壁
２３、３９    開口
３１          切欠部
３２          フランジ
３３          拡径部
３６          内筒壁
４２          上板
４２ａ        つまみ部
４３          側板
４４          蓋筒
【図１】
2008013178.tif 000003
【図２】
2008013178.tif 000004
【図３】
2008013178.tif 000005
【図４】
2008013178.tif 000006
【図５】
2008013178.tif 000007
【図６】
2008013178.tif 000008
【図７】
2008013178.tif 000009
【図８】
2008013178.tif 000010